【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
少なくとも１種のポリアミド、少なくとも１種の有機ペルオキシド、ならびに任意選択的に共反応剤および／またはフリーラジカル捕捉剤を含む、硬化可能な組成物。
【請求項２】
前記ポリアミドが、ホモポリマー、コポリマーまたはそれらの混合物であり、前記ポリアミドが結晶質もしくは非晶質、またはそれらの混合物である、請求項１に記載の組成物。
【請求項３】
前記ポリアミドが、ＰＡ４、ＰＡ６、ＰＡ６６、ＰＡ４６、ＰＡ９、ＰＡ１１、ＰＡ１２、ＰＡ６１０、ＰＡ６１２、ＰＡ１０１０、ＰＡ１０１２、ＰＡ６／６６、ＰＡ６６／６１０、ＰＡｍＸＤ６、ＰＡ６Ｉ、ＰＡ１０Ｔ、ＰＡ９Ｔからなる群から選択される少なくとも１種のポリアミドである、請求項１または２に記載の組成物。
【請求項４】
前記ペルオキシドが、ジアシル、ペルオキシジカーボネート、エンド、ジアルキル、ペルオキシケタール、ペルオキシエステル、モノペルオキシカーボネート、トリオキセパンペルオキシド、ｔ−ブチルクミルペルオキシド、２，５−ジメチル−２，５−ジ（ｔ−ブチルペルオキシ）ヘキサン、ｍ／ｐ−ジ（ｔ−ブチルペルオキシ）ジイソプロピルベンゼン、ジ−ｔ−ブチルペルオキシド、２，５−ジメチル−２，５−ジ（ｔ−ブチルペルオキシ）ヘキシン−３、ジクミルペルオキシド、ｔ−ブチルペルオキシベンゾエート、１，１−ジ（ｔ−ブチルペルオキシ）−３，３，５−トリメチルシクロヘキサン、１，１−ジ（ｔ−ブチルペルオキシ）シクロヘキサン、ｎ−ブチル−４，４−ジ（ｔ−ブチルペルオキシ）バレレート、エチル３，３−ジ（ｔ−ブチルペルオキシ）ブチレート、ｔ−ブチルペルオキシアセテート、ＯＯ−ｔ−ブチル−Ｏ−２−エチルヘキシルモノペルオキシカーボネート、ＯＯ−ｔ−ブチル−Ｏ−イソプロピルモノペルオキシカーボネート、ポリエーテルポリｔ−ブチルペルオキシカーボネート、３，３，５，７，７−ペンタメチル−１，２，４−トリオキセパン、および３，６，９−トリエチル−３，６，９−トリメチル−１，４，７−トリペルオキソナンからなる群から選択される、請求項１〜３のいずれかに記載の組成物。
【請求項５】
前記共反応剤が、少なくとも１個のアリル基および／または芳香族基を有するクラス２共反応剤である、請求項１〜４のいずれかに記載の組成物。
【請求項６】
前記フリーラジカル捕捉剤が、ヒドロキノンおよびニトロキシドフリーラジカルからなる群から選択される、請求項１〜５のいずれかに記載の組成物。
【請求項７】
前記ポリアミドが、ＰＡ１１、ＰＡ１２、ＰＡ６１０、ＰＡ６１２、ＰＡ１０１０、ＰＡ１０１２からなる群から選択される少なくとも１種のポリアミドであり；前記ペルオキシドが、ジアルキル、ペルオキシエステル、ペルオキシケタール、およびモノペルオキシカーボネートペルオキシドからなる群から選択される少なくとも１種のペルオキシドであり；前記共反応剤が、トリアリルシアヌレート、トリアリルイソシアヌレート、ジアリルフタレート、二塩基酸のジアリルエステル、トリメチロールプロパントリメタクリレート、トリメチロールプロパントリアクリレート、亜鉛ジアクリレート、亜鉛ジメタクリレート、Ｎ，Ｎ’−ｍ−フェニレンビスマレイミド、およびアルファメチルスチレンダイマーからなる群から選択される少なくとも１種の共反応剤であり；および前記フリーラジカル捕捉剤が、モノ−ｔｅｒｔ−ブチル−ヒドロキノン、ヒドロキノンモノメチルエーテル、および４−ヒドロキシＴｅｍｐｏからなる群から選択される少なくとも１種のフリーラジカル捕捉剤である、請求項１〜６のいずれかに記載の組成物。
【請求項８】
前記ポリアミドが、ＰＡ１１、ＰＡ１２、ＰＡ６１０、ＰＡ６１２、ＰＡ１０１０、ＰＡ１０１２からなる群から選択され；前記ペルオキシドが、ジ−ｔ−ブチルペルオキシド、ｔ−ブチルクミルペルオキシド、２，５−ジメチル−２，５−ジ（ｔ−ブチルペルオキシ）ヘキサン、ｍ／ｐ−ジ（ｔ−ブチルペルオキシ）ジイソプロピルベンゼンからなる群から選択され；前記共反応剤が、トリアリルシアヌレートまたはトリアリルイソシアヌレートからなる群から選択され；および前記フリーラジカル捕捉剤が、モノ−ｔｅｒｔブチルヒドロキノン、ヒドロキノンモノ−メチルエーテル、ＴＥＭＰＯ、および４−ヒドロキシＴＥＭＰＯからなる群から選択される、請求項１〜７のいずれかに記載の組成物。
【請求項９】
ペルオキシド反応性のポリオレフィンおよび／またはゴムを実質的に含まない、請求項１〜８のいずれかに記載の組成物。
【請求項１０】
熱可塑性である、請求項１〜９のいずれかに記載の組成物。
【請求項１１】
熱硬化性である、請求項１〜９のいずれかに記載の組成物。
【請求項１２】
改良されたポリアミドを得るための方法であって、（１）初期分子量を有する第一のポリアミドを提供する工程、（２）前記第一のポリアミドを少なくとも１種の有機ペルオキシドと、増大した分子量および実質的に同じ粘度対剪断速度比を有する第二のポリアミドを得るのに十分な条件下で接触させる工程を含む方法。
【請求項１３】
前記接触工程が、共反応剤および／またはフリーラジカル捕捉剤の存在下、かつペルオキシド反応性のポリオレフィンおよび／またはゴムの非存在下で行われる、請求項１２に記載の方法。
【請求項１４】
前記有機ペルオキシドとの接触前に、前記第一のポリアミドが乾燥されていない、請求項１２または１３に記載の方法。
【請求項１５】
前記第二のポリアミドが、前記第一のポリアミドよりも高い衝撃強度、増大した引張強度、および／または増大したクリープ抵抗性を有し、かつ実質的に同じ粘度対剪断速度比を有する、請求項１２〜１４のいずれかに記載の方法。
【請求項１６】
前記改良されたポリアミドが熱可塑性である、請求項１２〜１５のいずれかに記載の方法。
【請求項１７】
請求項１２〜１６のいずれかに記載の方法により製造されるポリアミド物品。
【請求項１８】
改良されたポリアミドを得るための方法であって、（１）初期分子量を有する第一のポリアミドを提供する工程、（２）前記第一のポリアミドを、少なくとも１種の有機ペルオキシドと、増大された分子量および増大された粘度対剪断速度比を有し、それにより、前記増大された粘度が加工の際のポリマーの流動を妨げるほどには高くない、第二のポリアミドを得るのに十分な条件下で接触させる工程を含む方法。
【請求項１９】
前記接触工程が、共反応剤および／またはフリーラジカル捕捉剤の存在下、かつペルオキシド反応性のポリオレフィンおよび／またはゴムの非存在下で行われる、請求項１８に記載の方法。
【請求項２０】
前記有機ペルオキシドとの接触前に、前記第一のポリアミドが乾燥されていない、請求項１８または１９に記載の方法。
【請求項２１】
前記第二のポリアミドが、前記第一のポリアミドよりも高い衝撃強度、増大された引張強度、および／または増大されたクリープ抵抗性を有する、請求項１８〜２０のいずれかに記載の方法。
【請求項２２】
前記改良されたポリアミドが熱可塑性である、請求項１８〜２１のいずれかに記載の方法。
【請求項２３】
請求項１８〜２２のいずれかに記載の方法により製造されるポリアミド物品。
【請求項２４】
ポリアミド物品を製造するための方法であって、
（１）少なくとも１種のポリアミドおよび少なくとも１種のペルオキシド、ならびに／または少なくとも１種のポリアミドと少なくとも１種のペルオキシドとのプレブレンド物を提供する工程、
（２）熱を加えて、溶融されたポリアミドと少なくとも１種の有機ペルオキシドとの混合物を形成する工程、および
（３）前記溶融されたポリアミド混合物を成形する工程であって、成形が、押出し成形、射出成形、圧縮成形、トランスファー成形、および回転成形からなる群から選択されるプロセスによって実施され、それによって前記ポリアミド物品が成形され、前記物品が実質的にペルオキシドフリーである、工程
を含む方法。
【請求項２５】
請求項２４に記載の方法により製造されるポリアミド物品。
【請求項２６】
熱可塑性または熱硬化性ポリアミド物品を製造するための方法であって、
ポリアミドを溶融させて、溶融されたポリアミドを得る工程、
前記溶融されたポリアミドを少なくとも１種の有機ペルオキシドと混合する工程であって、前記少なくとも１種の有機ペルオキシドが少なくとも約０．０１ｐｈｒ〜約１５ｐｈｒの量で存在する、工程、
前記溶融されたポリアミドを成形する工程であって、成形が、押出し成形、射出成形、圧縮成形、トランスファー成形、および回転成形からなる群から選択されるプロセスによって実施される、工程
を含む方法。
【請求項２７】
請求項２６に記載の方法により製造される物品。